(57)【要約】【課題】簡易な構造でドライバユニットがバッフル板に確実に固定されると共に、低域側と高域側との周波数特性が良好なヘッドホンを得る。【解決手段】ヘッドホン（１）であって、バッフル板（１３）と、バッフル板に固定されるドライバユニット（１２）と、ドライバユニットをバッフル板に固定する固定部材（１５）と、を有してなり、固定部材は、ドライバユニットの外縁（１２１ｂ）に当接される板状の当接部（１５１）、を備える、ことを特徴とする。【選択図】図３
2018064163.tif 000002
【特許請求の範囲】
【請求項１】
バッフル板と、
前記バッフル板に固定されるドライバユニットと、
前記ドライバユニットを前記バッフル板に固定する固定部材と、
を有してなり、
前記固定部材は、
前記ドライバユニットの外縁に当接される板状の当接部、
を備える、
ことを特徴とするヘッドホン。
【請求項２】
前記ドライバユニットは、前記バッフル板と前記固定部材とに挟持される、
請求項１記載のヘッドホン。
【請求項３】
前記当接部は、弾性を有する、
請求項１記載のヘッドホン。
【請求項４】
前記固定部材は、
前記バッフル板に固定される固定部、
を備え、
前記固定部は、
前記当接部の外縁に隣接して配置される、
請求項１記載のヘッドホン。
【請求項５】
前記当接部は、枠状であり、  
前記固定部材は、
前記ドライバユニットのうち、前記当接部に当接する前記ドライバユニットの外縁以外の部分が挿通される挿通孔、
を備える、
請求項１記載のヘッドホン。
【請求項６】
前記固定部は、
前記固定部材と前記バッフル板とを締結する締結部材が挿通される締結孔を備える、
請求項４記載のヘッドホン。
【発明の詳細な説明】
【技術分野】
【０００１】
本発明は、ヘッドホンに関する。
【背景技術】
【０００２】
ヘッドホンのうち、例えば、耳覆い型のヘッドホンは、ヘッドホンの使用者の頭部に装着されて、使用者が楽音再生機などの音源からの楽音を聞くために使用される。ヘッドホンは、一対の放音ユニット（イヤピース）と、両放音ユニットを連結する連結部材と、を有してなる。
【０００３】
各放音ユニットは、ドライバユニットと、バッフル板と、音響抵抗材と、ハウジングと、を備える。ドライバユニットは、例えば、楽音再生機などの音源からの電気信号（音声信号）を音波に変換して出力する。ドライバユニットは、振動板と、磁気回路と、ユニットケースと、を備えるダイナミック型のドライバユニットである。ユニットケースは、磁気回路の磁気と干渉しない合成樹脂製である。
【０００４】
ドライバユニットは、バッフル板に保持されてハウジングに収納される。音響抵抗材は、ドライバユニットの後方（ドライバユニットが音波を出力する方向の反対の方向）に配置される。
【０００５】
近年、ヘッドホンは、放音ユニットを連結部材に対して回転させる構造や、放音ユニットを連結部材に向けて折り畳む構造、を備えていて、カバンなどにコンパクトに収納可能である。一方で、ヘッドホンを収納したカバンが何かに衝突すると、ヘッドホンは、カバンの中で強い衝撃を受ける。ヘッドホンが強い衝撃を受けると、ドライバユニットがバッフル板から外れて、ヘッドホンが故障する場合がある。そのため、ドライバユニットは、バッフル板に確実に固定されなければならない。
【０００６】
ドライバユニットをバッフル板に固定する方法として、例えば、ドライバユニットがバッフル板に接着剤で固定される方法（例えば、特許文献１参照）や、バッフル板に設けられた周壁にドライバユニットが嵌め込まれる方法（例えば、特許文献２参照）、バッフル板に立設された爪部材によりドライバユニットが固定される方法（例えば、特許文献３参照）、円筒状の固定部材でドライバユニットが固定される方法（例えば、特許文献４参照）など、が提案されている。
【先行技術文献】
【特許文献】
【０００７】
【特許文献１】特開２０１４−１２７７３０号公報
【特許文献２】特開２０１１−８７０４８号公報
【特許文献３】実開平５−８００９０号公報
【特許文献４】特開２０１６−１００６４７号公報
【発明の概要】
【発明が解決しようとする課題】
【０００８】
特許文献１に開示の方法は、ドライバユニットの交換を困難にするなど、メンテナンス性が悪い。また、開放型のヘッドホンでは、接着剤がヘッドホンの外部から視認できる場合があり、ヘッドホンの意匠性を損なう可能性がある。さらに、経年劣化により接着剤が変質し、ドライバユニットの周波数特性が影響を受ける可能性がある。
【０００９】
特許文献２−４に開示の方法は、ドライバユニットの交換が可能であり、メンテナンス性が良い。また、接着剤による固定と比較して経年劣化し難く、意匠性も良い。
【００１０】
しかし、特許文献２−４に開示の方法は、構造が複雑になり易く、ドライバユニットの大きさに合わせて個別の設計をする必要がある。また、特許文献２−４に開示の方法は、ドライバユニットをバッフル板に固定する周壁や爪部材、固定部材（以下「固定部材」という。）などにより、ドライバユニットと、ドライバユニットの後方に配置される音響抵抗材と、の間に隙間を生じ得る。この隙間は、音響的な容量を持ち、ローパスフィルタとして機能する。その結果、ヘッドホンの高域側の周波数特性が悪化する。
【００１１】
合成樹脂製であるユニットケースは、ドライバユニットがバッフル板に固定されるときに歪み、ドライバユニットと固定部材との間に隙間が生じ得る。また、ドライバユニットやバッフル板の寸法精度によっては、ドライバユニットとバッフル板との間に隙間が生じ得る。その結果、ドライバユニットのバッフル板への固定が不確実となり、音波を出力中にドライバユニットが振動する可能性がある。
【００１２】
本発明は、以上のような従来技術の問題点を解消するためになされたもので、簡易な構造でドライバユニットがバッフル板に確実に固定されると共に、低域側と高域側との周波数特性が良好なヘッドホンを提供することを目的とする。
【課題を解決するための手段】
【００１３】
本発明は、ヘッドホンであって、バッフル板と、バッフル板に固定されるドライバユニットと、ドライバユニットをバッフル板に固定する固定部材と、を有してなり、固定部材は、ドライバユニットの外縁に当接される板状の当接部、を備える、ことを特徴とする。
【発明の効果】
【００１４】
本発明によれば、簡易な構造でドライバユニットがバッフル板に確実に固定されると共に、低域側と高域側との周波数特性が良好なヘッドホンを提供することができる。
【図面の簡単な説明】
【００１５】
【図１】本発明にかかるヘッドホンの実施の形態を示す斜視図である。
【図２】図１のヘッドホンの右側面図である。
【図３】図２のヘッドホンが備える左放音ユニットのＡＡ線断面図である。
【図４】図１のヘッドホンが備える左組立体の右側面図である。
【図５】図４の左第１組立体の分解斜視図である。
【図６】本発明にかかるヘッドホンと、従来のヘッドホンと、の周波数特性を比較した周波数特性グラフである。
【発明を実施するための形態】
【００１６】
以下、図面を参照しながら、本発明にかかるヘッドホンの実施の形態について説明する。
【００１７】
●ヘッドホンの構成
図１は、本発明にかかるヘッドホンの実施の形態を示す斜視図である。
【００１８】
ヘッドホン１は、ヘッドホン１の使用者の頭部に装着されて、例えば、携帯型音楽再生機などの音源（不図示）からの音声信号に応じた音波を使用者の鼓膜に向けて出力する。ヘッドホン１は、例えば、無線通信回線を介して音源から音声信号を受信する無線式のヘッドホンである。
【００１９】
なお、本発明にかかるヘッドホンは、例えば、ケーブルを介して音源から音声信号を受信する有線式のヘッドホンでもよい。
【００２０】
以下の説明において、ヘッドホン１に対する上下左右前後の各方向は、ヘッドホン１が使用者の頭部に装着された状態（以下「ヘッドホン装着状態」という。）における使用者に対する上下左右前後の方向と同じである。すなわち、例えば、後述する左放音ユニット１０は、使用者の左耳に装着される。
【００２１】
ヘッドホン１は、左放音ユニット（左イヤピース）１０と、左ハンガー２０と、右放音ユニット（右イヤピース）３０と、右ハンガー４０と、連結部材５０と、信号線（不図示）と、を有してなる。
【００２２】
図２は、ヘッドホン１の側面図である。
図３は、左放音ユニット１０の図２のＡＡ線断面図である。
【００２３】
左放音ユニット１０は、使用者の左耳の周囲に装着されて、音源からの音声信号に応じた音波を出力する。左放音ユニット１０は、回路基板１１と、左ドライバユニット１２と、左バッフル板１３と、左フレーム１４と、左ユニット固定部材１５と、左プロテクタ１６と、左イヤパッド１７と、左第１ハウジング１８と、左第２ハウジング１９と、左第１音響抵抗材Ｒ１と、左第２音響抵抗材Ｒ２と、複数（３つ）の固定ねじＴと、を備える。左ドライバユニット１２と、左バッフル板１３と、左フレーム１４と、左ユニット固定部材１５と、左第１音響抵抗材Ｒ１と、固定ねじＴとは、左組立体Ｌを構成する。
【００２４】
回路基板１１は、受信回路（不図示）と、信号処理回路（不図示）と、を備える。受信回路は、例えば、無線通信回線を介して音源からの音声信号を受信する。受信回路が受信する音声信号は、デジタル信号である。信号処理回路は、受信回路が受信した音声信号をデジタル信号の状態で処理（必要な信号の選別、抽出、合成など）し、処理された信号を左ドライバユニット１２と、後述する右ドライバユニットと、に伝送する。信号処理回路が処理した後の信号（以下「処理信号」という。）は、例えば、音声信号にパルス変調処理が施されたデジタル信号である。
【００２５】
なお、本発明にかかるヘッドホンが有線式のヘッドホンであれば、受信回路は、例えば、ＵＳＢ（Universal Serial Bus）端子やケーブル端子などの端子を備え、ケーブルを介して音源からの音声信号を受信する。
【００２６】
図４は、左組立体Ｌの右側面図である。
図５は、左組立体Ｌの分解斜視図である。
【００２７】
左ドライバユニット１２は、処理信号を音波に変換して出力する。左ドライバユニット１２は、図３に示されるように、ユニットケース１２１と、駆動部１２２と、振動板１２３と、を備える。
【００２８】
ユニットケース１２１は、駆動部１２２と振動板１２３とを収納する。ユニットケース１２１は、例えば、合成樹脂製である。ユニットケース１２１は、平面視において円形のハット状である。ユニットケース１２１は、本体部１２１ａと鍔部１２１ｂとを備える。本体部１２１ａは、有底円筒状である。鍔部１２１ｂは、リング状である。鍔部１２１ｂは、本体部１２１ａの開口端の外周面に配置される。鍔部１２１ｂは、本発明におけるドライバユニットの外縁の例である。鍔部１２１ｂは、凹部１２１ｂ１を備える。凹部１２１ｂ１は、鍔部１２１ｂの右側（図５の紙面下側）の面の外縁部に配置される。
【００２９】
駆動部１２２は、処理信号に応じて駆動（振動）することで振動板１２３を駆動（振動）させる。駆動部１２２は、図３に示されるように、磁気回路１２２ａと、複数（例えば、４つ）のボイスコイル１２２ｂと、を備える。磁気回路１２２ａは、磁気ギャップを備え、磁気ギャップ内に磁束を発生させる。ボイスコイル１２２ｂは、処理信号に応じて駆動する。処理信号は、各ボイスコイル１２２ｂそれぞれに個別に印加される。
【００３０】
振動板１２３は、ボイスコイル１２２ｂの駆動（振動）に応じて駆動（振動）して、音波を発生させる。振動板１２３は、鍔部１２１ｂに振動可能に取り付けられる。
【００３１】
ボイスコイル１２２ｂは、振動板１２３に取り付けられる。ボイスコイル１２２ｂは、磁気回路１２２ａに生じる磁束を横切るように磁気ギャップ内に配置される。ボイスコイル１２２ｂに印加される処理信号により発生する電磁力により、ボイスコイル１２２ｂは、磁気回路１２２ａに対して振動する。
【００３２】
なお、本発明にかかるヘッドホンのボイスコイルの数は、「４」に限定されない。
【００３３】
左バッフル板１３は、左ドライバユニット１２と、左イヤパッド１７と、を保持する。左バッフル板１３は、例えば、合成樹脂製である。左バッフル板１３は、平面視において楕円形のハット状である。左バッフル板１３は、底面部１３１と、周面部１３２と、鍔部１３３と、３つのボス部１３４と、を備える。
【００３４】
底面部１３１は、楕円のリング板状である。周面部１３２は、楕円の筒状である。鍔部１３３は、楕円のリング板状である。底面部１３１は、周面部１３２の左側（図５の紙面上側）の開口端に連結される。鍔部１３３は、周面部１３２の右側（図５の紙面下側）の開口端の外周面に連結される。
【００３５】
底面部１３１は、ユニット取付孔１３１ｈ１と、複数の音孔１３１ｈ２と、受部１３１ａと、を備える。
【００３６】
ユニット取付孔１３１ｈ１は、左ドライバユニット１２を保持する。ユニット取付孔１３１ｈ１は、円形である。ユニット取付孔１３１ｈ１は、底面部１３１の中央に配置される。
【００３７】
音孔１３１ｈ２は、左バッフル板１３の左方と右方とを連通させる。複数の音孔１３１ｈ２は、底面部１３１のユニット取付孔１３１ｈ１の周囲に均等の間隔で配置される。
【００３８】
受部１３１ａは、左ユニット固定部材１５と共に、左ドライバユニット１２を固定する。受部１３１ａは、ユニット取付孔１３１ｈ１の右側（図５の紙面下側）の開口端の内周面に、リング状に配置される。
【００３９】
ボス部１３４は、左ユニット固定部材１５が固定される部位である。ボス部１３４は、底面部１３１から左方（図５の紙面上方）に突出することで、底面部１３１と一体に構成される。ボス部１３４は、底面部１３１のユニット取付孔１３１ｈ１の周囲に均等の間隔で３箇所に配置される。ボス部１３４は、ねじ孔１３４ｈを備える。
【００４０】
なお、本発明におけるボス部の数は、「３」に限定されない。
【００４１】
左フレーム１４は、左第１音響抵抗材Ｒ１を保持する。左フレーム１４は、例えば、合成樹脂製である。左フレーム１４は、平面視において楕円のリング板状である。左フレーム１４は、複数の音孔１４ｈを備える。
【００４２】
音孔１４ｈは、左フレーム１４の左方と右方とを連通させる。複数の音孔１４ｈは、左フレーム１４に均等の間隔で配置される。音孔１４ｈの形状と左フレーム１４における位置とは、音孔１３１ｈ２の形状と左バッフル板１３における位置と同じである。
【００４３】
左ユニット固定部材１５は、左ドライバユニット１２を左バッフル板１３に固定する。左ユニット固定部材１５は、例えば、ステンレスなどの弾性を有する金属製である。左ユニット固定部材１５は、平面視においてリング板状である。左ユニット固定部材１５は、当接部１５１と、３つの固定部１５２と、ユニット挿通孔１５ｈと、を備える。
【００４４】
当接部１５１は、左バッフル板１３の受部１３１ａと共に、左ドライバユニット１２を左バッフル板１３に固定する。当接部１５１は、円形のリング板状（枠状）である。当接部１５１の厚みは、図３に示されるように、ユニットケース１２１の凹部１２１ｂ１の深さよりも薄い。
【００４５】
なお、当接部の厚みは、ユニットケース１２１の凹部１２１ｂ１の深さと同じでもよい。
【００４６】
ユニット挿通孔１５ｈは、左ドライバユニット１２のうち、ユニットケース１２１の本体部１２１ａが挿通される孔である。ユニット挿通孔１５ｈは、リング板状の当接部１５１の中央に配置される孔である。
【００４７】
固定部１５２は、当接部１５１を左バッフル板１３に固定する。固定部１５２は、当接部１５１の外縁に隣接して、均等の間隔で３箇所に配置される。固定部１５２は、当接部１５１と一体に構成される。固定部１５２は、壁部１５２ａと、張出部１５２ｂと、締結孔１５２ｈと、を備える。壁部１５２ａは、当接部１５１の外縁から左方（図５の紙面上方）に直立する。張出部１５２ｂは、壁部１５２ａの左端から当接部１５１の径方向外方に張り出す。張出部１５２ｂは、当接部１５１と平行である。すなわち、固定部１５２は、断面視（図３参照）において、Ｌ字状に構成される。
【００４８】
締結孔１５２ｈは、固定ねじＴが挿通される孔である。締結孔１５２ｈは、固定部１５２の張出部１５２ｂの中央に配置される。
【００４９】
なお、本発明における固定部の数は、左バッフル板のボス部の数と同じであればよく、「３」に限定されない。
【００５０】
左プロテクタ１６は、左ドライバユニット１２の振動板１２３を物理的な衝撃から保護する。左プロテクタ１６は、略円板状である。左プロテクタ１６の中央部は、右方（図５の紙面下方）に突出する。左プロテクタ１６は、複数の音孔１６ｈを備える。
【００５１】
図３に戻る。
左イヤパッド１７は、左バッフル板１３と使用者の頭部との間の緩衝材である。左イヤパッド１７は、平面視において楕円のリング上である。
【００５２】
左第１ハウジング１８は、左ドライバユニット１２を収納する。左第１ハウジング１８は、平面視において楕円形の椀状である。左第１ハウジング１８は、底面部１８１と突出部１８２とを備える。突出部１８２は、底面部１８１の中央が左方（図３の紙面右方）に突出することで、底面部１８１と一体に構成される。突出部１８２は、左右方向（図３の紙面左右方向）に扁平な有底円筒状である。
【００５３】
左第２ハウジング１９は、回路基板１１を収納する。左第２ハウジング１９は、平面視において円形の有底筒状である。左第２ハウジング１９は、２つの軸孔（不図示）を備える。軸孔は、左第２ハウジング１９の周壁の前部と後部とに１つずつ配置される。
【００５４】
左第１音響抵抗材Ｒ１と左第２音響抵抗材Ｒ２とは、ヘッドホン１の周波数特性を調整する音響抵抗であり、振動板の振動材として機能する。左第１音響抵抗材Ｒ１と左第２音響抵抗材Ｒ２とは、例えば、フェルトや発泡ウレタンなどから構成される。
【００５５】
固定ねじＴは、左バッフル板１３と左ユニット固定部材１５とを締結する。固定ねじＴは、本発明における締結部材の例である。
【００５６】
次に、左ハンガー２０と、右放音ユニット３０と、右ハンガー４０と、連結部材５０と、について、図１を参照しながら説明する。
【００５７】
左ハンガー２０は、左放音ユニット１０を揺動可能に支持する。左ハンガー２０は、中空で、下部が前後方向に二股に分かれた逆Ｙの字状である。左ハンガー２０は、２つの軸部（不図示）を備える。軸部は、左ハンガー２０の下端（二股に分かれた部分の先端）に同軸上に配置される。
【００５８】
右放音ユニット３０は、使用者の右耳の周囲に装着されて、音源からの音声信号に応じた音波を出力する。右放音ユニット３０の構成は、受信回路と、信号処理回路と、を備えない点を除いて、左放音ユニット１０の構成と同じである。すなわち、右放音ユニット３０は、右ドライバユニット（不図示）と、右バッフル板（不図示）と、右フレーム（不図示）と、右ユニット固定部材（不図示）と、右プロテクタ３６と、右イヤパッド３７と、右第１ハウジング３８と、右第２ハウジング３９と、右第１音響抵抗材（不図示）と、右第２音響抵抗材（不図示）と、固定ねじ（不図示）と、を備える。
【００５９】
右ハンガー４０は、右放音ユニット３０を揺動可能に支持する。右ハンガー４０の構成は、左ハンガー２０の構成と同じである。すなわち、右ハンガー４０は、中空で、一対の軸部（不図示）と、を備える。
【００６０】
連結部材５０は、一対の放音ユニット（左放音ユニット１０と右放音ユニット３０）を連結する。連結部材５０は、使用者の頭部の形状に沿うアーチ状である。連結部材５０は、左スライド機構５１と、ヘッドバンド５２と、右スライド機構５３と、を備える。
【００６１】
左スライド機構５１は、連結部材５０の長手方向に沿ってスライドすることにより、左放音ユニット１０とヘッドバンド５２との間の距離を変更する。左スライド機構５１が動作することで、左放音ユニット１０の位置は、使用者の左耳の位置に調節される。
【００６２】
ヘッドバンド５２は、左スライド機構５１と右スライド機構５３とを連結する。ヘッドバンド５２は、例えば、所定の剛性と弾性とを有する合成樹脂製である。ヘッドバンド５２は、弾性部材（不図示）を備える。弾性部材は、例えば、板ばねである。弾性部材は、ヘッドバンド５２の内部に配置される。弾性部材の復元力により、左放音ユニット１０と右放音ユニット３０とは、互いに近づく方向に付勢される。
【００６３】
右スライド機構５３は、連結部材５０の長手方向に沿ってスライドすることにより、右放音ユニット３０とヘッドバンド５２との間の距離を変更する。右スライド機構５３が動作することで、右放音ユニット３０の位置は、使用者の右耳の位置に調節される。
【００６４】
信号線は、左放音ユニット１０の信号処理回路からの処理信号を右放音ユニット３０の右ドライバユニットに伝送する。信号線は、左放音ユニット１０と右放音ユニット３０との間に配線される「渡りコード」である。
【００６５】
●左放音ユニットの組立
次に、左放音ユニット１０の組立について、図３−図５を参照しながら説明する。
【００６６】
先ず、左組立体Ｌが、左ドライバユニット１２と、左バッフル板１３と、左フレーム１４と、左ユニット固定部材１５と、左プロテクタ１６と、左第１音響抵抗材Ｒ１と、固定ねじＴと、により組み立てられる。
【００６７】
左ドライバユニット１２は、左バッフル板１３のユニット取付孔１３１ｈ１に嵌め込まれる。ユニットケース１２１の鍔部１２１ｂは、左バッフル板１３の受部１３１ａに当接する。
【００６８】
左ドライバユニット１２の本体部１２１ａは、左ユニット固定部材１５のユニット挿通孔１５ｈに右方（図５の紙面下方）から挿通される。換言すれば、左ドライバユニット１２の外縁（鍔部１２１ｂ）以外の部分は、ユニット挿通孔１５ｈに挿通される。当接部１５１は、ユニットケース１２１の外縁の凹部１２１ｂ１に当接する。固定部１５２の張出部１５２ｂは、左バッフル板１３のボス部１３４に左方（図５の紙面上方）から重ねられる。固定ねじＴは、張出部１５２ｂの締結孔１５２ｈに挿通されて、ボス部１３４のねじ孔１３４ｈに嵌められる。すなわち、固定部１５２は、固定ねじＴにより左バッフル板１３に固定される。その結果、左ドライバユニット１２は、左バッフル板１３の受部１３１ａと、左ユニット固定部材１５の当接部１５１と、に挟持される。すなわち、左ドライバユニット１２は、左ユニット固定部材１５により、左バッフル板１３に固定される。
【００６９】
前述のとおり、左ユニット固定部材１５は、弾性を有する金属製で、板状である。そのため、左ドライバユニット１２は、左ユニット固定部材１５の弾性により左バッフル板１３に向けて押される。その結果、本発明におけるユニット固定部材は、従来の合成樹脂製の固定部材と比較して、ドライバユニット（左ドライバユニット１２）をバッフル板（左バッフル板１３）に確実に固定する。また、左ドライバユニット１２を弾性材（左ユニット固定部材１５）で固定するため、仮に左ドライバユニット１２が振動しても、その振動は、左ユニット固定部材１５の弾性により抑制（吸収）される。
【００７０】
左第１音響抵抗材Ｒ１は、左フレーム１４に取り付けられる。左フレーム１４は、左バッフル板１３の右側面（図３の紙面左側の面）に取り付けられる。左フレーム１４の音孔１４ｈは、左バッフル板１３の音孔１３１ｈ２と重なる。そのため、左バッフル板１３の左方の空間は、２つの音孔１３１ｈ２、１４ｈを介して、左フレーム１４の右方の空間と連通する。
【００７１】
左プロテクタ１６は、ユニットケース１２１の鍔部１２１ｂに取り付けられる。
【００７２】
次いで、左イヤパッド１７は、左バッフル板１３の鍔部１３３に取り付けられる。左イヤパッド１７は、左バッフル板１３の鍔部１３３を右方（図３の紙面左方）から覆う。
【００７３】
次いで、左第１ハウジング１８が、左第２音響抵抗材Ｒ２を収納した状態で、左バッフル板１３に左方（図３の紙面右方）から取り付けられる。左第１ハウジング１８は、左ドライバユニット１２と左ユニット固定部材１５とを左方から覆う。
【００７４】
左第１ハウジング１８は、左ドライバユニット１２と左バッフル板１３と左ユニット固定部材１５と共に、第１空気室Ａ１を形成する。第１空気室Ａ１は、左ドライバユニット１２と左バッフル板１３と左ユニット固定部材１５それぞれの左方に配置される。前述のとおり、左ユニット固定部材１５の当接部１５１の厚さは、ユニットケース１２１の凹部１２１ｂ１の深さよりも薄い。そのため、左ユニット固定部材１５は、固定部１５２を除き、ユニットケース１２１の鍔部１２１ｂよりも第１空気室Ａ１側に突出しない。すなわち、左ユニット固定部材１５は、第１空気室Ａ１内に、左ユニット固定部材１５により囲われた空間（音響的な容量を持つ空間）を形成しない。つまり、本発明における第１空気室の容積は、ドライバユニットを固定する固定部材が第１空気室内に突出する場合と比較して、大きい。
【００７５】
左第２音響抵抗材Ｒ２は、左第１ハウジング１８の底面部１８１と、左ドライバユニット１２の本体部１２１ａと、に挟持される。左第２音響抵抗材Ｒ２は、左ドライバユニット１２に当接する。すなわち、第１空気室Ａ１内において、左ドライバユニット１２と左第２音響抵抗材Ｒ２との間には、隙間、つまり、音響的な容量を持つ空間が形成されない。
【００７６】
次いで、回路基板１１が左第２ハウジング１９の内面に取り付けられる。左第２ハウジング１９は、左第１ハウジング１８に左方から取り付けられる。左第２ハウジング１９は、左第１ハウジング１８の突出部１８２を左方から覆う。左第１ハウジング１８と左第２ハウジング１９とは、第２空気室Ａ２を形成する。第２空気室Ａ２は、左第１ハウジング１８の左方に配置される。
【００７７】
●ヘッドホン１の組立
次にヘッドホン１の組立について、図１を参照しながら説明する。
【００７８】
左ハンガー２０は、左放音ユニット１０に、左第２ハウジング１９の上半部の周壁を跨ぐように取り付けられる。左ハンガー２０の軸部は、左第２ハウジング１９の軸孔に回転可能に取り付けられる。その結果、左放音ユニット１０は、左ハンガー２０に揺動可能に支持される。
【００７９】
右ハンガー４０は、左ハンガー２０と同様に、右放音ユニット３０に取り付けられる。その結果、右放音ユニット３０は、右ハンガー４０に揺動可能に支持される。
【００８０】
連結部材５０は、左ハンガー２０の上端部と、右ハンガー４０の上端部とに取り付けられる。
【００８１】
信号線は、左放音ユニット１０の信号処理回路と、右放音ユニット３０の右ドライバユニットと、に接続される。信号線は、左第２ハウジング１９（第２空気室Ａ２）、左ハンガー２０、連結部材５０、右ハンガー４０、右第２ハウジング３９、右第１ハウジング３８それぞれの内部に配線される。
【００８２】
●ヘッドホン１の動作
次に、ヘッドホン１の動作について、説明する。
【００８３】
図６は、本発明にかかるヘッドホンと、従来のヘッドホンと、の周波数応答を比較した周波数応答グラフである。
【００８４】
同図は、本発明にかかるヘッドホンの周波数特性を実線で、従来のヘッドホンの周波数特性を破線で、それぞれ示す。ここで、従来のヘッドホンのドライバユニットは、合成樹脂製の円筒状の固定部材でバッフル板に固定される。従来のヘッドホンの構成は、固定部材により、ドライバユニットと音響抵抗材との間と、ドライバユニットの周囲と、に音響的な容量を持つ空間（隙間）が形成される点を除き、本発明にかかるヘッドホンの構成と同じである。
【００８５】
同図は、第１空気室Ａ１内において、左ドライバユニット１２と左第２音響抵抗材Ｒ２とを当接させることにより、３ｋＨｚ−２０ｋＨｚの帯域（高域）において、共振ディップ（波形の落ち込み）が改善されていることを示す。また、同図は、第１空気室Ａ１の容積を大きくすることにより、３００Ｈｚ以下の帯域（低域）の周波数応答が向上していることを示す。
【００８６】
●まとめ
以上説明した実施の形態によれば、左ドライバユニット１２は、リング板状の左ユニット固定部材１５により、左バッフル板１３に固定される。左ドライバユニット１２は、ユニットケース１２１の鍔部１２１ｂ以外の部分（本体部１２１ａ）が左ドライバユニット１２のユニット挿通孔１５ｈに挿通される。すなわち、左ユニット固定部材１５は、固定部１５２を除き、ユニットケース１２１の鍔部１２１ｂよりも第１空気室Ａ１側（右方）に突出しない。そのため、左第２音響抵抗材Ｒ２は、左ドライバユニット１２に当接した状態で第１空気室Ａ１に配置される。つまり、左ドライバユニット１２と左第２音響抵抗材Ｒ２との間に、音響的な容量を持つ空間（隙間）は形成されない。その結果、本発明にかかるヘッドホンは、円筒状の固定部材などでドライバユニットを固定する従来のヘッドホンと比較して、高域の周波数特性が優れる。
【００８７】
また、以上説明した実施の形態によれば、左ユニット固定部材１５の当接部１５１は、弾性を有する金属製である。そのため、左ドライバユニット１２は、左ユニット固定部材１５の弾性により左バッフル板１３に向けて押される。その結果、本発明におけるユニット固定部材は、従来の合成樹脂製の固定部材と比較して、左ドライバユニット１２を左バッフル板１３に確実に固定することができる。また、左ドライバユニット１２を弾性材（左ユニット固定部材１５）で固定するため、仮に左ドライバユニット１２が振動しても、その振動は、左ユニット固定部材１５の弾性により抑制（吸収）される。
【００８８】
さらに、以上説明した実施の形態によれば、左ユニット固定部材１５は、第１空気室Ａ１内に、音響的な容量を持つ空間を形成しない。そのため、本発明にかかるヘッドホンは、従来のヘッドホンと比較して、空気室（第１空気室）の容積を大きくすることができ、低域の周波数特性を向上させることができる。
【００８９】
このように、本発明にかかるヘッドホンは、従来のヘッドホンと比較して、簡易な構造でドライバユニットがバッフル板に確実に固定されると共に、低域側と高域側との周波数特性が良好となる。
【００９０】
なお、以上説明した実施の形態は、均等に配置されたボス部１３４に左ユニット固定部材１５が締結される構成であったが、左ユニット固定部材は、例えば、左バッフル板の内周面（ユニット取付孔を形成する面）に設けられたアンダーカットに嵌め込まれる構成でもよい。この場合、アンダーカットにより左ユニット固定部材の一部が固定される。そのため、ボス部の数を減じて、第１空気室Ａ１の容積を増加させることができる。
【００９１】
また、左ユニット固定部材の材質をアルミニウムやチタンなどそれぞれ光沢の異なる金属とすることで、開放型のヘッドホンにおいて、左ユニット固定部材の美感（意匠性）を向上させることができる。
【００９２】
さらに、以上説明した実施の形態は、左右ドライバユニットがデジタル信号を音波に変換する構成であったが、左右ドライバユニットは、音声信号（アナログ信号）を音波に変換する構成でもよい。この場合、処理部は、受信部が受信した音声信号をデジタル信号からアナログ信号へ変換（Ｄ／Ａ変換）してもよい。
【００９３】
さらにまた、以上説明した実施の形態は、当接部１５１と固定部１５２とが一体の構成であったが、当接部と固定部とは別体で構成されてもよい。
【符号の説明】
【００９４】
１          ヘッドホン
１０        左放音ユニット
１２        左ドライバユニット
１２１ｂ    鍔部（ドライバユニットの外縁）
１３        左バッフル板
１５        左ユニット固定部材（固定部材）
１５１      当接部
１５２      固定部
１５２ｈ    締結孔
１８        左第１ハウジング
１９        左第２ハウジング
Ａ１        第１空気室
Ｔ          固定ねじ（締結部材）
【図１】
2018064163.tif 000003
【図２】
2018064163.tif 000004
【図３】
2018064163.tif 000005
【図４】
2018064163.tif 000006
【図５】
2018064163.tif 000007
【図６】
2018064163.tif 000008